【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
１つ以上の他のデバイスと関連付けられる中継装置で、ダウンストリーム中継器から第１のメッセージを受信することと、ここにおいて、前記第１のメッセージは、前記ダウンストリーム中継器と関連付けられるデバイスの数のインジケーションを含む、
前記第１のメッセージに応答して、アップストリーム中継器への第２のメッセージを生成することと、ここにおいて、前記第２のメッセージは、前記アップストリーム中継器の利用可能な容量のための要求である、
前記アップストリーム中継器に前記第２のメッセージを送信することと、
前記アップストリーム中継器から応答メッセージを受信することと、前記応答メッセージは、前記アップストリーム中継器の前記利用可能な容量を示す、
前記アップストリーム中継器の前記利用可能な容量に基づいて、前記中継装置が前記ダウンストリーム中継器にサーブすることができるかどうかを決定することと
を備える、上記方法。
【請求項２】
前記第２のメッセージは、アクションフレームまたはアソシエーション要求で送信される、請求項１に記載の方法。
【請求項３】
前記第２のメッセージは、前記中継装置と関連付けられる複数のデバイスの複数のＩＤのリストを含む、請求項１に記載の方法。
【請求項４】
前記第２のメッセージは、前記中継装置と関連付けられる他のデバイスの量を含む、請求項１に記載の方法。
【請求項５】
ワイヤレス通信のための中継装置であって、前記中継装置は、１つ以上の他のデバイスと関連付けられ、
ダウンストリーム中継器から第１のメッセージを受信することと、ここにおいて、前記第１のメッセージは、前記ダウンストリーム中継器と関連付けられるデバイスの数のインジケーションを含む、
前記第１のメッセージに応答して、アップストリーム中継器への第２のメッセージを生成することと、ここにおいて、前記第２のメッセージは、前記アップストリーム中継器の利用可能な容量のための要求である、
を行うように構成されるプロセッサと、
前記アップストリーム中継器に前記第２のメッセージを送信するように構成される送信機と、
前記アップストリーム中継器から応答メッセージを受信するように構成される受信機と、前記応答メッセージは、前記アップストリーム中継器の前記利用可能な容量を示す、
を備え、
前記プロセッサは、前記アップストリーム中継器の前記利用可能な容量に基づいて、前記中継装置が前記ダウンストリーム中継器にサーブすることができるかどうかを決定するようにさらに構成される、上記中継装置。
【請求項６】
前記第２のメッセージは、アクションフレームまたはアソシエーション要求で送信される、請求項５に記載の中継装置。
【請求項７】
前記第２のメッセージは、前記中継装置と関連付けられる複数のデバイスの複数のＩＤのリストを含む、請求項５に記載の中継装置。
【請求項８】
前記第２のメッセージは、前記中継装置と関連付けられる他のデバイスの量を含む、請求項５に記載の中継装置。
【請求項９】
ワイヤレス通信のための中継装置であって、前記中継装置は、１つ以上の他のデバイスと関連付けられ、
ダウンストリーム中継器から第１のメッセージを受信するための手段と、ここにおいて、前記第１のメッセージは、前記ダウンストリーム中継器と関連付けられるデバイスの数のインジケーションを含む、
前記第１のメッセージに応答して、アップストリーム中継器への第２のメッセージを生成するための手段と、ここにおいて、前記第２のメッセージは、前記アップストリーム中継器の利用可能な容量のための要求である、
前記アップストリーム中継器に前記第２のメッセージを送信するための手段と、
前記アップストリーム中継器から応答メッセージを受信するための手段と、ここにおいて、前記応答メッセージは、前記アップストリーム中継器の前記利用可能な容量を示す、
前記アップストリーム中継器の前記利用可能な容量に基づいて、前記中継装置が前記ダウンストリーム中継器にサーブすることができるかどうかを決定するための手段と
を備える、上記中継装置。
【請求項１０】
前記第２のメッセージは、アクションフレームまたはアソシエーション要求で送信される、請求項９に記載の中継装置。
【請求項１１】
前記第２のメッセージは、前記中継装置と関連付けられる複数のデバイスの複数のＩＤのリストを含む、請求項９に記載の中継装置。
【請求項１２】
前記第２のメッセージは、前記中継装置と関連付けられる他のデバイスの量を含む、請求項９に記載の中継装置。
【請求項１３】
ワイヤレス通信の方法であって、
１つ以上の他のデバイスと関連付けられる中継装置で、アップストリーム中継器から第１のメッセージを受信することと、ここにおいて、前記第１のメッセージは、前記アップストリーム中継器が、サーブするための利用可能な容量を有するデバイスの数のインジケーションを含む、
前記アップストリーム中継器が、サーブするための利用可能な容量を有する前記デバイスの数を、前記中継装置が、サーブするための利用可能な容量を有するデバイスの数と比較することと、
前記１つ以上の他のデバイスへの第２のメッセージを生成することと、ここにおいて、前記第２のメッセージは、前記アップストリーム中継器が、サーブするための利用可能な容量を有する前記デバイスの数と、前記中継装置が、サーブするための利用可能な容量を有する前記デバイスの数とのうちのより低いもののインジケーションを含む、
前記１つ以上の他のデバイスのうちの少なくとも１つに前記第２のメッセージを送信することと、
前記１つ以上の他のデバイスのうちの少なくとも１つからアソシエーション要求を受信することと、
を備える、上記方法。
【請求項１４】
前記第２のメッセージは、ビーコンで送信される、請求項１３に記載の方法。
【請求項１５】
前記第２のメッセージは、プローブ応答で送信される、請求項１３に記載の方法。
【請求項１６】
前記第２のメッセージは、いくつの追加のノードが前記中継装置によってサービスされることができるかを示す数を含む、請求項１３に記載の方法。
【請求項１７】
ワイヤレス通信のための中継装置であって、
アップストリーム中継器から第１のメッセージを受信することと、ここにおいて、前記第１のメッセージは、前記アップストリーム中継器が、サーブするための利用可能な容量を有するデバイスの数のインジケーションを含む、
前記アップストリーム中継器が、サーブするための利用可能な容量を有する前記デバイスの数を、前記中継装置が、サーブするための利用可能な容量を有するデバイスの数と比較することと、
１つ以上のデバイスへの第２のメッセージを生成することと、ここにおいて、前記第２のメッセージは、前記アップストリーム中継器が、サーブするための利用可能な容量を有する前記デバイスの数と、前記中継装置が、サーブするための利用可能な容量を有する前記デバイスの数とのうちのより低いもののインジケーションを含む、
を行うように構成されるプロセッサと、
前記１つ以上のデバイスに前記第２のメッセージを送信するように構成される送信機と、
前記１つ以上のデバイスのうちの少なくとも１つからアソシエーション要求を受信するように構成される受信機と、
を備える、上記中継装置。
【請求項１８】
前記第２のメッセージは、ビーコンで送信される、請求項１７に記載の中継装置。
【請求項１９】
前記第２のメッセージは、プローブ応答で送信される、請求項１７に記載の中継装置。
【請求項２０】
前記第２のメッセージは、いくつの追加のノードが前記中継装置によってサービスされることができるかを示す数を含む、請求項１７に記載の中継装置。
【請求項２１】
ワイヤレス通信のための中継装置であって、
アップストリーム中継器から第１のメッセージを受信するための手段と、ここにおいて、前記第１のメッセージは、前記アップストリーム中継器が、サーブするための利用可能な容量を有するデバイスの数のインジケーションを含み、
前記アップストリーム中継器が、サーブするための利用可能な容量を有する前記デバイスの数を、前記中継装置が、サーブするための利用可能な容量を有するデバイスの数と比較するための手段と、
１つ以上の他のデバイスへの第２のメッセージを生成するための手段と、ここにおいて、前記第２のメッセージは、前記アップストリーム中継器が、サーブするための利用可能な容量を有する前記デバイスの数と、前記中継装置が、サーブするための利用可能な容量を有する前記他のデバイスの数とのうちのより低いもののインジケーションを含む、
前記１つ以上の他のデバイスのうちの少なくとも１つに前記メッセージを送信するための手段と、
前記１つ以上の他のデバイスのうちの少なくとも１つからアソシエーション要求を受信するための手段と、
を備える、上記中継装置。
【請求項２２】
前記第２のメッセージは、ビーコンで送信される、請求項２１に記載の中継装置。
【請求項２３】
前記第２のメッセージは、プローブ応答で送信される、請求項２１に記載の中継装置。
【請求項２４】
前記第２のメッセージは、いくつの追加のノードが前記中継装置によってサービスされることができるかを示す数を含む、請求項２１に記載の中継装置。
【請求項２５】
ワイヤレス通信の方法であって、
中継装置で、ここにおいて、１つ以上の他のデバイスは、前記中継装置と関連付けられ、前記中継装置は、中継デバイスと通信しており、前記中継デバイスからのメッセージを受信することと、ここにおいて、前記メッセージは、前記中継デバイスが、サーブするための利用可能な容量を有する他のデバイスの数のインジケーションを含む、
前記中継デバイスが、前記中継装置と関連付けられる前記１つ以上の他のデバイスおよび前記中継装置にサーブするための利用可能な容量を有するか否かを決定することと、
前記中継デバイスが、前記中継装置にサーブするための前記利用可能な容量を有する場合、前記中継デバイスにソシエーション要求を送ることと
を備え、
前記受信することは、別の中継デバイスから別のメッセージを受信することをさらに備え、前記別のメッセージは、前記別の中継デバイスが、サーブするための利用可能な容量を有する追加のデバイスの数のインジケーションを含み、前記決定することは、前記中継デバイスおよび前記別の中継デバイスのうちのどちらが、前記中継装置にサーブするための前記利用可能な容量を有するかを決定することをさらに備え、前記送ることは、前記決定された中継デバイスに前記ソシエーション要求を送ることを備える、上記方法。
【請求項２６】
第２のメッセージを生成することをさらに備え、ここにおいて、前記第２のメッセージは、前記中継装置が、サーブするための利用可能な容量を有する追加のデバイスの数のインジケーションを含む、請求項２５に記載の方法。
【請求項２７】
前記中継装置が、サーブするための利用可能な容量を有する前記追加のデバイスの数は、前記中継装置の自身の利用可能な容量および前記中継デバイスの前記利用可能な容量のうちのより低いものである、請求項２６に記載の方法。
【請求項２８】
ワイヤレス通信のための中継装置であって、ここにおいて、１つ以上の他のデバイスは、前記中継装置と関連付けられ、前記中継装置は、中継デバイスと通信しており、
前記中継デバイスからのメッセージを受信するように構成される受信機と、ここにおいて、前記メッセージは、前記中継デバイスが、サーブするための利用可能な容量を有する他のデバイスの数のインジケーションを含む、
前記中継デバイスが、前記中継装置と関連付けられる前記１つ以上の他のデバイスおよび前記中継装置にサーブするための利用可能な容量を有するか否かを決定するように構成されるプロセッサと、
前記中継デバイスが、前記中継装置にサーブするための前記利用可能な容量を有する場合、前記中継デバイスにソシエーション要求を送るように構成された送信機と、
を備え、
前記受信機は、別の中継デバイスから別のメッセージを受信するように更に構成され、前記別のメッセージは、前記別の中継デバイスが、サーブするための利用可能な容量を有する追加のデバイスの数のインジケーションを含み、前記プロセッサは、前記中継デバイスおよび前記別の中継デバイスのうちのどちらが、前記中継装置にサーブするための前記利用可能な容量を有するかを決定するようにさらに構成され、前記送信機は、前記ソシエーション要求を前記決定された中継デバイスに送信するように構成される、上記中継装置。
【請求項２９】
第２のメッセージを生成することをさらに備え、ここにおいて、前記第２のメッセージは、前記中継装置が、サーブするための利用可能な容量を有する追加のデバイスの数のインジケーションを含む、請求項２８に記載の中継装置。
【請求項３０】
前記中継装置が、サーブするための前記利用可能な容量を有する前記追加のデバイスの数は、前記中継装置の自身の利用可能な容量および前記中継デバイスの前記利用可能な容量のうちのより低いものである、請求項２９に記載の中継装置。
【請求項３１】
ワイヤレス通信のための中継装置であって、ここにおいて、１つ以上の他のデバイスは、前記中継装置と関連付けられ、前記中継装置は、中継デバイスと通信しており、
前記中継デバイスからのメッセージを受信するための手段と、ここにおいて、前記メッセージは、前記中継デバイスが、サーブするための利用可能な容量を有する他のデバイスの数のインジケーションを含む、
前記中継デバイスが、前記中継装置と関連付けられる前記１つ以上の他のデバイスおよび前記中継装置にサーブするための利用可能な容量を有するか否かを決定するための手段と、
前記中継デバイスが、前記中継装置にサーブするための前記利用可能な容量を有する場合、前記中継デバイスにソシエーション要求を送るための手段と
を備え、
前記受信するための手段は、別の中継デバイスから別のメッセージを受信するための手段をさらに備え、前記別のメッセージは、前記別の中継デバイスが、サーブするための利用可能な容量を有する追加のデバイスの数のインジケーションを含み、前記決定するための手段は、前記中継デバイスおよび前記別の中継デバイスのうちのどちらが、前記中継装置にサーブするための前記利用可能な容量を有するかを決定するための手段をさらに備え、前記ソシエーション要求を前記送るための手段は、前記決定された中継デバイスに前記ソシエーション要求を送信するための手段をさらに備える、上記中継装置。
【請求項３２】
第２のメッセージを生成することをさらに備え、ここにおいて、前記第２のメッセージは、前記中継装置が、サーブするための利用可能な容量を有する追加のデバイスの数のインジケーションを含む、請求項３１に記載の中継装置。
【請求項３３】
前記中継装置が、サーブするための前記利用可能な容量を有する前記追加のデバイスの数は、前記中継装置の自身の利用可能な容量および前記中継デバイスの前記利用可能な容量のうちのより低いものである、請求項３２に記載の中継装置。